(57)【特許請求の範囲】
【請求項１】
結束バンドを熱溶着させて芝生の束を結束させる際に使用し、結束バンドを供給する結束バンド供給具と、芝生の束に結束バンドを巻き渡すための結束作業台と、を備えた芝生結束用作業装置であって、
結束作業台は、底部フレームと、上部フレームと、底部フレームと上部フレームを結合する柱部フレームと、上部フレームで囲まれた部分に設けられ金網で形成された芝生載置部と、を備え
上部フレームは、側部フレーム材、前部フレーム材及び後部フレーム材を有し、
前部フレーム材にはハンドルが設けられており、該ハンドル又は前部フレーム材に、結束バンドの先端側を留めることのできる留め片が設けられており、          
後部フレーム材には、結束バンド供給具から前方に供給される結束バンドを案内する結束バンドガイドが設けられており、
結束バンド供給具は、前記後部フレーム材の後ろ側に設けられ、結束バンドを巻き付けた結束バンド供給ドラムと、該結束バンド供給ドラムを回転可能に支持するドラム支持フレームと、を備え、
ドラム支持フレームには、結束バンドを、結束バンド供給ドラムから結束バンドガイドに向けて前方に案内するガイドローラが設けられていることを特徴とする芝生結束用作業装置。
【請求項２】
留め片は、ハンドル又は前部フレーム材との間に結束バンドを挿通して掛ける隙間を残して、ハンドル又は前部フレーム材に固定されていることを特徴とする請求項１に記載の芝生結束用作業装置。
【請求項３】
請求項１又は請求項２記載の芝生結束用作業装置を使用して、結束作業台の上に載置した芝生の束を、結束バンド供給具から引き出した結束バンドによって結束する芝生結束方法であって、
結束バンドの先端側を芝生の束の前側から上側にかけて当接して巻き渡した結束バンドの先端部と、芝生の束の後側から上側にかけて巻き渡した結束バンドの後方の部分又は該後方の部分を切断した後端部と、を互いに重ねて、手持ち可能な熱溶着バンド結束機で熱溶着することを特徴とする芝生結束方法。
【請求項４】
結束バンド供給具から結束作業台の前側まで引き出した結束バンドを、結束すべき芝生の束を結束作業台の上に載置するまでの間は、結束バンドを留め片に留めることを特徴とする請求項３に記載の芝生結束方法。
【発明の詳細な説明】
【技術分野】
【０００１】
本発明は、結束テープを熱溶着させて芝生の束を結束させる際に、結束作業台の上に載置した芝生の束に結束テープを供給し巻き渡すために使用する、芝生結束用作業装置、及びこの芝生結束用作業装置を使用した芝生結束方法に関する。
【背景技術】
【０００２】
従来、芝生生産農家において育成した芝生は、束として結束して出荷するが、この結束は、通常は、作業者が束となった芝生を、紐で手作業のみにより縛っていた。そして、従来、機械的に芝生を結束する作業機として、以下のようなものがある。
【０００３】
地面にある切り芝を中腰で拾い上げて廻る人為作業は労力的に大変であるため、地面上の切り芝を拾って自走機体上に持上げるピックアップ部と、持上げられた切り芝を積重ねて人為紐掛けする結束作業部 とを備え、切り芝を拾い上げて回収できる芝収穫機が知られている（特許文献１参照）。
【０００４】
また、シート材の端部を挟持するシート用アクチュエーターにてシート材 を張り、その下方より芝昇降用アクチュエーターにて芝を上昇させてシート材ごと持ち上げ、芝挟持用アクチュエーターにて該芝を圧縮した状態のまま挟持し、該シート用アクチュエーターをシートロール側に移動し、接着用アクチュエーターにてシート材を接着し、紐を十字状に縛り結束する作業を、自動化し、省力化する芝結束装置が知られている（特許文献２参照）。
【０００５】
さらに、運搬車上に結束機、発電機および結束台を所定位置に載設固定してなる移動式芝結束機において、結束機は結束部 とこれを被覆する筐体からなっており、この筐体により結束部が被覆されるので、結束台上に載設された芝に付着した土砂や塵埃が結束部に侵入するおそれが少ないようにした構成が知られている（特許文献３参照）。
【先行技術文献】
【特許文献】
【０００６】
【特許文献１】特開平６−１１３６１０号公報
【特許文献２】実開平６−１７４１２号公報
【特許文献３】実開平５−６７２２６号公報
【発明の概要】
【発明が解決しようとする課題】
【０００７】
上記のとおり、芝生を出荷作業において、芝生の束を紐で結束する際には、手作業だけによる場合は、紐で結束の際に芝生の束を、作業者が中腰姿勢で、動かしたり持ち上げたりしなくてはならないので、非常に重労働であり、場合によっては作業者の腰を痛める等の問題がある。
【０００８】
また、芝生の結束作業は、ある程度の熟練度が必要で、手作業だけによる結束作業は、生産性において必ずしも好ましくはない。
【０００９】
特許文献１記載の発明は、結束作業は、通常の結束作業よりは若干楽となるが、その結束作業部は、切り芝を積重ねて、あくまでも人為紐掛けして、手作業によって紐で結ぶための作業台にすぎない。
【００１０】
特許文献２記載の芝結束装置は、装置全体の機構が複雑であり、また、特許文献３記載の移動式芝結束機は、結束機は結束部とこれを被覆する筐体からなっている等、装置として大がかりとなり、いずれも、また芝生農家て手頃に使用する装置としては、必ずしも適していないものと考えられる。
【００１１】
本発明は、上記従来の芝生の結束の際の手作業のみによる問題を解消して効率的に行うことができ、しかも従来の自動化のための装置のように複雑であったり、大がかりであったりしない、比較的簡単な構造で、効率的な結束作業を可能とする芝生結束用作業装置、及びこの芝生結束用作業装置を使用する芝生結束方法を実現することを課題とする。
【課題を解決するための手段】
【００１２】
本発明は上記課題を解決するために、結束バンドを熱溶着させて芝生の束を結束させる際に使用し、結束バンドを供給する結束バンド供給具と、芝生の束に結束バンドを巻き渡すための結束作業台と、を備えた芝生結束用作業装置であって、結束作業台は、底部フレームと、上部フレームと、底部フレームと上部フレームを結合する柱部フレームと、上部フレームで囲まれた部分に設けられ金網で形成された芝生載置部と、を備え上部フレームは、側部フレーム材、前部フレーム材及び後部フレーム材を有し、前部フレーム材にはハンドルが設けられており、該ハンドル又は前部フレーム材に、結束バンドの先端側を留めることのできる留め片が設けられており、後部フレーム材には、結束バンド供給具から前方に供給される結束バンドを案内する結束バンドガイドが設けられており、結束バンド供給具は、前記後部フレーム材の後ろ側に設けられ、結束バンドを巻き付けた結束バンド供給ドラムと、該結束バンド供給ドラムを回転可能に支持するドラム支持フレームと、を備え、ドラム支持フレームには、結束バンドを、結束バンド供給ドラムから結束バンドガイドに向けて前方に案内するガイドローラが設けられていることを特徴とする芝生結束用作業装置を提供する。
【００１３】
留め片は、ハンドル又は前部フレーム材との間に結束バンドを挿通して掛ける隙間を残して、ハンドル又は前部フレーム材に固定されていることが好ましい。
【００１４】
本発明は上記課題を解決するために、上記芝生結束用作業装置を使用して、結束作業台の上に載置した芝生の束を、結束バンド供給具から引き出した結束バンドによって結束する芝生結束方法であって、結束バンドの先端側を芝生の束の前側から上側にかけて当接して巻き渡した結束バンドの先端部と、芝生の束の後側から上側にかけて巻き渡した結束バンドの後方の部分又は該後方の部分を切断した後端部と、を互いに重ねて、手持ち可能な熱溶着バンド結束機で熱溶着することを特徴とする芝生結束方法を提供する。
【００１５】
結束バンド供給具から結束作業台の前側まで引き出した結束バンドを、結束すべき芝生の束を結束作業台の上に載置するまでの間は、結束バンドを留め片に留めることが好ましい。
【発明の効果】
【００１６】
本発明によれば、従来の自動化のための装置のように複雑であったり、大がかりであったりしない、比較的簡単な構造によって、従来の芝生の結束の際の手作業のみによる問題を解消して効率的に行うことができる。
【図面の簡単な説明】
【００１７】
【図１】本発明に係る芝生結束用作業装置の実施例の全体構成を説明する側面図である。
【図２】本発明に係る芝生結束用作業装置の実施例の全体構成を説明する平面図である。
【図３】上記実施例を説明する図であり、（ａ）は図１においてＡ−Ａ方向に見た図であり、（ｂ）は図１においてＢ方向に見た要部拡大図であり、（ｃ）は（ｂ）においてＣ方向に見た図である。
【図４】（ａ）、（ｂ）は、上記実施例の芝生結束用作業装置の作用、及び芝生結束用作業装置を使用した芝生結束方法の実施例における結束作業の工程を説明する図である。
【図５】（ａ）、（ｂ）は、上記実施例の芝生結束用作業装置の作用、及び芝生結束用作業装置を使用し芝生結束方法の実施例における結束作業の工程を説明する図である。
【図６】（ａ）、（ｂ）は、上記実施例の芝生結束用作業装置の作用、及び芝生結束用作業装置を使用し芝生結束方法の実施例における結束作業の別の工程を説明する図である。
【発明を実施するための形態】
【００１８】
本発明に係る芝生結束用作業装置及び芝生結束方法を実施するための形態を実施例に基づき図面を参照して、以下説明する。
【００１９】
本発明に係る芝生結束方法は、芝生を積み重ねて束として結束バンドを巻き付けて、その両端部を互いに熱溶着させて結束する方法であり、本発明に係る芝生結束用作業装置は、上記芝生結束方法において使用する結束作業台の上に載置した芝生の束に結束バンドを供給して巻きわたすために使用する装置である。
【実施例】
【００２０】
本発明に係る芝生結束用作業装置及び芝生結束方法の実施例を図１〜５とともに説明する。この実施例の芝生結束用作業装置１は、図１〜図３に示すように、結束作業台２と結束バンド供給具３を備えている。
【００２１】
なお、本明細書及び本発明では、説明の都合上、図１において、結束作業台２側（図１中の右側）を前方とし、結束バンド供給具３側（図１中の左側）を後方とし、前方に向かって（結束バンド供給具３から結束作業台２の後記するハンドル２３に向かって）左右を左右方向とする。
【００２２】
結束作業台２は、図１、図２及び図３（ａ）に示すように、底部フレーム５と、上部フレーム６と、底部フレーム５と上部フレーム６を結合する柱部フレーム７と、を備えている。
【００２３】
底部フレーム５は、左右の側部フレーム材１０と、左右の側部フレーム材１０を互いに橋絡する前部フレーム材（図示せず）及び後部フレーム材１２（図３（ａ）参照）を備えている。
【００２４】
結束作業台２を移動可能とするために、底部フレーム５に、車輪を設けてもよい。本実施例では、左右の側部フレーム材１０において、それぞれ前後に車輪取り付けブラケット１３を設け、この車輪取り付けブラケット１３にそれぞれ車輪を有するキャスタ１４が設けられている。
【００２５】
上部フレーム６は、図２に示すように、左右の側部フレーム材１８、前部フレーム材１９及び後部フレーム材２０を有し、平面視で矩形に形成されている。上部フレーム６で囲まれた平面には、芝生載置部２１が形成されている。
【００２６】
この芝生載置部２１は、芝生の束２２（図４、図５参照）を載せても、破損したりしない強度を有する金網部材から形成されており、芝生について付いていた泥は落ちるが、芝生自体は落下したりしない網目サイズで形成されている。
【００２７】
上部フレーム６の前部フレーム材１９には、図２に示すように、前方に伸びる平面視略コの字型のハンドル２３が設けられている。このハンドル２３には、平面視で矩形に形成された留め片２４が固定されて設けられている。なお、留め片２４は、ハンドル２３ではなく前部フレーム材１９に設けてもよい。
【００２８】
ハンドル２３へ留め片２４を取り付け構造の拡大図を、図３（ｂ）、（ｃ）に示すが、その一端側がハンドル２３に溶着等で固定され、他端側はハンドル２３との間に隙間２５が形成されている。後記するが、この留め片２４におけるハンドル２３との隙間２５に、結束バンド２８を挟んで、仮留めすることができ、結束作業においてきわめて便利である。
【００２９】
図１、図２、図３（ａ）に示すように、上部フレーム６の後部フレーム材２０の左右の幅方向のおける中央部には、バンドガイド２９が設けられている。バンドガイド２９は、略∩字型をした長細い部材からなり、上方に起立するようにして、その下端が後部フレーム材２０に固定されている。
【００３０】
このバンドガイド２９の作用、機能等については後記するが、一見、単なるガイドのように考えられるが、本発明においては、結束作業において、きわめて顕著な効果を奏する部材であり、本発明の特徴的構成の一つである。
【００３１】
結束バンド供給具３は、図１、図２、図３（ａ）に示すように、ドラム支持フレーム３５と結束バンド供給ドラム３６を備えている。
【００３２】
ドラム支持フレーム３５は、図１、図２、図３（ａ）に示すように、左右の側部フレーム３７と、側部フレーム３７を結合する前部フレーム杆３８（図２、図３（ａ）参照）と、後部フレーム杆（図示せず）と、を有する。
【００３３】
左右の側部フレーム３７は、それぞれ上下斜め方向に起立した起立フレーム杆４１と、斜めに延びその上端が起立フレーム杆４１に結合した斜めフレーム杆４２と、起立フレーム杆４１と斜めフレーム杆４２の間を結合し、前後方向に延びる側杆４３と、を有する。
【００３４】
斜めフレーム杆４２の略中央に、ドラム取り付けブラケット４６が固定されている。結束バンド供給ドラム３６は、左右の側部フレーム３７の間において、それぞれのドラム取り付けブラケット４６の間に装着された支持軸４７に回転可能に取り付けられている。
【００３５】
なお、結束バンド２８のなくなった結束バンド供給ドラム３６を取り外し、取り替え用の結束バンド供給ドラム３６を装着する取り替え作業を容易にするために、図示はしないが、結束バンド供給ドラム３６の左右の側面にそれぞれ側方に突出した支持軸を設け、一方、ドラム取り付けブラケット４６の内面に、上方が開放した軸受け用凹部を設け、支持軸を軸受け用凹部に着脱可能に装着でき構成としてもよい。
【００３６】
結束バンド供給ドラム３６には結束バンド２８が巻かれており、この結束バンド２８は作業者が前方に引き出すことで、図１に示すように、芝生載置部２１上を通して結束作業台２のハンドル２３の前方まで引き出すことが可能である。
【００３７】
結束バンド２８は、ポリプロピレン（ＰＰ）、ポリエチレンテレフタラート（ＰＥＴ）等の樹脂材で製造され、熱溶着可能な市販の梱包用の結束バンドを使用する。この結束バンド２８は、後で詳記するが、結束作業において、その前端部と後端部を重ねて熱溶着する。熱溶着は、市販されているコードレスハンディー梱包機（例えば、ストラパック株式会社販売、ストラパック株式会社製のハンディ梱包機ＳＴＢ７０）等、周知の熱溶着バンド結束機４８を使用すればよい。
【００３８】
ドラム支持フレーム３５の前部フレーム３８（図２、図３（ａ）参照）には、図１、図２及び図３（ａ）に示すように、ガイドローラ取り付け杆５０が起立して設けられている。このガイドローラ取り付け杆５０によって、ガイドローラ５１が回転可能に設けられている。ガイドローラ５１は、左右方向に延びた長細い筒状のローラである。
【００３９】
結束バンド供給具３は、結束作業台２と同じ接地面に設置してもよいが、本実施例では、図１に示すように、結束作業台２の底部フレーム５の側部フレーム１０の上に載置して設置する。
【００４０】
なお、結束バンド供給具３の起立フレーム杆４１及び斜めフレーム杆４３の両方又はいずれかに、車輪を付けておくと、設置の際の移動が楽となるので設置作業が容易となる。本実施例では、斜めフレーム杆４３の下端に車輪５２が付設されている。
【００４１】
（芝生結束方法）                      
上記構成から成る芝生結束用作業装置１を使用した芝生結束方法、芝生結束用作業装置１の作用等について、以下に説明する。
【００４２】
芝生の結束作業を行う際には、結束作業台２と結束バンド供給具３を、図１に示す状態にセットする。結束バンド供給ドラム３６に巻かれた結束バンド２８を、その先端部３０から前方に引出す。
【００４３】
そして、結束バンド２８を、ガイドローラ５１及びバンドガイド２９を介して、結束作業台２の芝生載置部２１の上を通し、さらに前方に引出し、隙間２５を通し、留め片２４に掛けて留めておく。
【００４４】
芝生の結束作業は、通常、屋外で行うが、風がある場合には、芝生の一つの束を結束して、次の束の結束作業に移る合間等、作業者が結束バンド２８を把持していない場合には、結束バンド２８がその先端から風に吹かれて手元から飛んでしまう等の問題がある。
【００４５】
本発明の芝生結束用作業装置１では、結束バンド２８の先端側を、ハンドル２３に縛る等する必要なく、留め片２４に掛けて簡単に留めておくことができるので、屋外で芝生の結束作業を行う際に、風が吹いていても、結束バンド２８がその先端から風に吹かれて手元から飛んでしまうことを防止でき、作業効率が低下することがない。
【００４６】
図１に示すように芝生結束用作業装置１をセットしてから、芝生の束２２を結束する場合は、図４（ａ）に示すように、芝生の束２２を、結束バンド２８の上方から金網で形成された芝生載置部２１に載置する。そして、結束バンド２８の先端側を、芝生の束２２の前面側から上面側に沿わせる。
【００４７】
次に、図４（ａ）の状態から、結束バンド２８における芝生の束２２の後方の部分５５を上方に引いて、図４（ｂ）に示すように、さらに結束バンド２８を結束バンド供給具３から、ガイドローラ５１及びバンドガイド２９を介して前方に引出し、芝生の束２２の下面の後端から後面に沿わせて上面の上方まで伸ばし、Ｕ字状に後方に折り返し、折り返し部５６で切断し（図４（ｂ）の一点鎖線で示す切断線Ｓ参照）、結束バンド２８の後端部５７（図５（ａ）参照）を形成する。
【００４８】
バンドガイド２９は、図１に示すように、結束バンド２８を結束作業台２の前方（ハンドル２３方向）に引き出す際に、結束バンド２８を案内する機能を奏するだけではなく次のような顕著な機能を奏する。
【００４９】
即ち、上記のとおり、結束バンド２８における芝生の束２２の後方の部分５５を、図４（ｂ）に示すように、上方に引いて、結束バンド２８を結束バンド供給具３から引出す際においても、案内する機能を奏する。このように、バンドガイド２９は、きわめて有用な部品であり、本発明の芝生結束用作業装置１及び芝生結束方法は、このバンドガイド２９を効果的に使用した点でも特徴を有する。               
【００５０】
そして、図５（ａ）に示すように、結束バンド２８の先端部３０と、芝生の束２２の後方の部分５５であって折り返し部５６が切断されて形成された後端部５７と、を重ね合わせ、重ね合わせた先端部３０と後端部５７を、市販されている手持ち可能な携帯式の周知の熱溶着バンド結束機４８によって熱溶着する。その結果、図５（ｂ）に示すように、芝生の束２２は、結束バンド２８で結束される。
【００５１】
図６は、図４及び図５に示す芝生結束方法と略同じであるが、結束バンド２８の折り返し部５６を切断する前に、熱溶着バンド結束機４８で結束バンド２８の先端部３０と結束バンド２８の後方の部分５５を熱溶着する点で異なる。
【００５２】
即ち、図４（ａ）の状態から、結束バンド２８における芝生の束２２の後方の部分５５を上方に引いて、図６（ａ）に示すように、折り返し部５６を形成し、結束バンド２８の先端部３０と後方の部分５５を重ねた箇所を、熱溶着バンド結束機４８で挟んで熱溶着する。その後、図６（ｂ）に示すように、折り返し部５６の近くで結束バンド２８を切断する（図６（ｂ）の一点鎖線で示す切断線Ｓ参照）。
【００５３】
なお、芝生の束２２を結束バンド２８で、十字状に結束する場合は、上記のとおり結束された芝生の束２２を、一度持ち上げ、水平面内で９０度回転して芝生載置部２１に再度、載置する。そして、上記の結束作業を繰り返せばよい。
【００５４】
ところで、上記結束作業では、結束すべき芝生の束２２は、芝生載置部２１において、バンドガイド２９を経て引き出される結束バンド２８が、当接し始める部分６０より、少なくとも前方の箇所に載置する。
【００５５】
この当接し始める部分６０から留め片２４で留めた部分までの結束バンド２８の長さは、図４（ａ）において、少なくとも芝生の束２２の下面の後端から前面に沿わして上面まで巻き付けた結束バンド２８の長さより長くする必要がある。そのような長さとすると、図４（ｂ）に示すように、結束バンド２８の前端部３０は、芝生の束２２の上面の適正な位置まで巻き付けることができる。
【００５６】
そのためには、芝生載置部２１上に当接する部分６０から留め片２４で留めた部分までの結束バンド２８の長さが、芝生の束２２の下面の後端から上面まで巻き付けた結束バンド２８の長さより長くなるように、結束作業台２の上部フレーム６とハンドル２３の前後方向の長さ寸法を設計するとよい
【００５７】
以上、本発明に係る芝生結束用作業装置及び芝生結束方法を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５８】
本発明に係る芝生結束用作業装置及び芝生結束方法は上記のように比較的簡単な構成であるから、大規模の芝生生産農家だけでなく、小規模芝生農家でも手ごろに導入でき、出荷の際の結束作業の作業効率を、大幅に向上することできる。
【符号の説明】
【００５９】
１  芝生結束用作業装置                                                        
２  結束作業台
３  結束バンド供給具                                                 
５  底部フレーム                                           
６  上部フレーム 
７  柱部フレーム                                              
１０  底部フレームの側部フレーム材                                     
１２  底部フレームの後部フレーム材                             
１３  車輪取り付けブラケット                                   
１４  キャスタ                                                 
１８  上部フレームの側部フレーム材                             
１９  上部フレームの前部フレーム材                             
２０  上部フレームの後部フレーム材                             
２１  芝生載置部
２２  芝生の束                                               
２３  ハンドル                                                 
２４  留め片                                                   
２５  留め片とハンドルの隙間                                   
２８  結束バンド                                               
２９  バンドガイド
３０  結束バンドの先端部                                           
３５  ドラム支持フレーム                           
３６  結束バンド供給ドラム                                         
３７  ドラム支持フレームの側部フレーム                               
３８  ドラム支持フレームの前部フレーム杆                             
４１  側部フレームの起立フレーム杆                                           
４２  側部フレームの斜めフレーム杆                                           
４３  側部フレームの側杆                                                     
４６  ドラム取り付けブラケット                                 
４７  結束バンド供給ドラムの支持軸
４８  熱溶着工具                               
５０  ガイドローラ取り付け杆                                   
５１  ガイドローラ                                             
５２  斜めフレーム杆の車輪 
５５  結束バンドの後方の部分                                  
５６  結束バンドの折り返し部                                   
５７  結束バンドの後端部                                       
６０  前方に引き出された結束バンドが芝生載置部に当接し始める部分
【要約】
【課題】芝生の結束の際の手作業のみによる問題を解消し、簡単な構造で、効率的な結束作業を可能とする芝生結束用作業装置、及びこの芝生結束用作業装置を使用する芝生結束方法を実現する。
【解決手段】結束バンド２８の前端部と後端部を熱溶着させて芝生の束を結束させるために、芝生の束を載置する結束作業台２と、結束バンド２８を供給する結束バンド供給具３と、を備え、結束作業台２は、金網で形成された芝生載置部２１を備え、結束バンド供給具３は、結束作業台２の後側に設けられ、結束バンド２８を巻き付けた結束バンド供給ドラム３６と、結束バンド供給ドラム３６を回転可能に支持するドラム支持フレーム３５と、を備えている。
【選択図】図１【図１】
0006038223.tif 000002
【図２】
0006038223.tif 000003
【図３】
0006038223.tif 000004
【図４】
0006038223.tif 000005
【図５】
0006038223.tif 000006
【図６】
0006038223.tif 000007